(57)【要約】【課題】  急速なグレースケール応答時間を以て液晶パネルを駆動する方法を提供する。【解決手段】  駆動画素がデータドライバに接続されたデータ線とゲートドライバに接続されたゲート線で構成された液晶パネルの駆動方法であり、選択規則に基づき少なくとも二つのゲートドライバ中より第１ゲートドライバを選択し、並びに第１ゲートドライバに第Ａ列のゲート線より順に所定列数の駆動電圧に対応する一部の図形画像を表示させる。選択規則に基づき第２ゲートドライバを選出すると共に、所定列数の目標値を具えた駆動電圧に対応する図形画像を表示し、第Ｂ列の所定列数の画素より目標値まで回復させる。【選択図】        図７
2005284071.tif 000002
【特許請求の範囲】
【請求項１】
駆動回路中の複数のデータドライバと少なくとも二つのゲートドライバにより液晶パネルを駆動する駆動回路の駆動方法であり、該液晶パネルの一つの画素点が該データドライバに接続されたデータ線と、該ゲートドライバに接続されたゲート線で構成され、図形画像に対応する少なくとも一列の画素の駆動電圧がデータ線より入力される時、ゲートドライバはゲート線が入力するゲート駆動信号により図形画像を列で液晶パネル上に表示させ、該駆動方法は、
選択規則に基づき少なくとも二つのゲートドライバ中より第１ゲートドライバを選択し、並びに第１ゲートドライバに第Ａ列のゲート線より順に、所定列数の、駆動電圧に対応する一部の図形画像を表示させ、
選択規則に基づき少なくとも二つのゲートドライバ中より第２ゲートドライバを選出すると共に、第２ゲートドライバに、第Ａ列より所定の距離隔たった第Ｂ列から所定の列数のゲート線に、所定目標値の駆動電圧に対応する図形画像を同時に表示させ、これにより、第Ｂ列から所定の列数の画素を目標値に回復させることを特徴とする、駆動回路の駆動方法。
【請求項２】
請求項１記載の駆動回路の駆動方法において、選択規則によると、データドライバの出力する駆動電圧が一部の図形画像に対応する時、該駆動電圧の代表する図形を液晶パネルに表示するゲートドライバを第１ゲートドライバとなすことを特徴とする、駆動回路の駆動方法。
【請求項３】
請求項１記載の駆動回路の駆動方法において、選択規則によると、データドライバの出力する駆動電圧が目標値を有する駆動電圧である時、この駆動電圧の代表する図形を液晶パネルに表示するゲートドライバを第２ゲートドライバとなすことを特徴とする、駆動回路の駆動方法。
【請求項４】
請求項１記載の駆動回路の駆動方法において、液晶パネルの解析度により、第１ゲートドライバと第２ゲートドライバがそれに接続されるゲート線を分配し、第１ゲートドライバと第２ゲートドライバがいずれも固定ゲート線数のゲート線に接続されることを特徴とする、駆動回路の駆動方法。
【請求項５】
請求項４記載の駆動回路の駆動方法において、所定距離が固定ゲート線数より大きいか等しいことを特徴とする、駆動回路の駆動方法。
【請求項６】
請求項１記載の駆動回路の駆動方法において、データドライバに別にリセット線が接続されてリセット信号を受け取り、データドライバの出力する駆動電圧が目標値を有する駆動電圧である時、該データドライバは該リセット信号によりそのうちの全部のデータ記録器に暫時保存された画素データをクリアし、これにより該データドライバの出力する駆動電圧が目標値を有するものとされることを特徴とする、駆動回路の駆動方法。
【請求項７】
請求項１記載の駆動回路の駆動方法において、データドライバに別にプレセット線が接続されてプレセット信号を受け取り、データドライバの出力する駆動電圧が目標値を有する駆動電圧である時、該データドライバは該リセット信号によりそのうちの全部のデータ記録器に暫時保存された画素データをプレセット値となし、これにより該データドライバの出力する駆動電圧が目標値を有するものとされることを特徴とする、駆動回路の駆動方法。
【請求項８】
請求項１記載の駆動回路の駆動方法において、駆動電圧がデータ線に入力される前に切り換え器が設置され、該データ線に入力される駆動電圧が一部の図形画像の駆動電圧に対応する時、該切り換え器を通過する該駆動電圧がデータドライバのデジタル／アナログ変換器で変換されることを特徴とする、駆動回路の駆動方法。
【請求項９】
請求項１記載の駆動回路の駆動方法において、駆動電圧がデータ線に入力される前に切り換え器が設置され、該データ線に入力される駆動電圧が目標値を有する駆動電圧である時、該切り換え器を通過する駆動電圧はデータドライバのデジタル／アナログ変換器により変換されず、別に目標値線で変換不要の目標値を有する駆動電圧が入力されることを特徴とする、駆動回路の駆動方法。
【発明の詳細な説明】
【技術分野】
【０００１】
本発明は一種の駆動回路の駆動方法に係り、特に急速なグレースケール応答時間を以て液晶パネルを駆動する方法に関する。
【背景技術】
【０００２】
周知のとおり、液晶ディスプレイはその表示の特性の関係から、グレースケール応答速度に終始一定のネックが存在する。もしパソコンのディスプレイとされる時は、液晶ディスプレイとＣＲＴディスプレイの使用状況は、使用者にとってはあまり明らかな差異はない。しかし、テレビジョン番組を放送するための液晶ディスプレイとされる時は、テレビ番組はほぼ完全な動態画像であり、液晶ディスプレイのグレースケール応答速度に一定のネックが存在する問題が明らかとなる。即ち、周知の液晶ディスプレイテレビジョンはその表示効果がＣＲＴテレビジョンより明らかに劣る。
【０００３】
伝統的に、上述の液晶ディスプレイの複数の画素は駆動回路中の複数のデータドライバと複数のゲートドライバで駆動される。液晶パネルの一つの画素はデータドライバに接続されたデータ線及びゲートドライバに接続されたゲート線で構成されている。以下に、先ず簡単に伝統的な液晶ディスプレイの駆動方法について説明し、それから既存のグレースケール応答速度向上の方法について説明する。
【０００４】
図１、２を参照されたい。図１、２は周知の駆動波形図である。垂直同期信号が出現する時、一つの新しいフレームが走査線の方式で１本ずつ液晶パネル上に表示される。まず、図１のように、ＳＴＨ信号が活動状態に変成し、これは第１の走査線の第１から第ｎの画素データが順にデータドライバ中に入力されることを示す。水平クロック信号が上昇する時、第１の画素データは左から右にシフトし、並びに次の画素データが読み込まれ、第ｎの画素データに至る。上述の画素データはＲ、Ｇ、Ｂのデジタルデータを含む。上述の第１から第ｎの一列の画素データがいずれもシフトされた後、データドライバは図１に示されるように上昇状態を呈する変換信号を受け取り、同一列中の各画素データのＲ、Ｇ、Ｂのデジタルデータを対応する駆動電圧に変換し液晶パネル中のデータ線に送る。このとき、図２に示されるように、垂直クロックが上昇し、ゲート駆動回路は第１列のゲート駆動信号をオンし、データ線上のデータ駆動回路が駆動電圧を液晶パネルに伝送する。その後、その他の走査線も同じ方式により、順に全体のフレームの信号をパネル上に表示する。
【０００５】
現在、ＬＣＤのグレースケール応答速度向上の多くの方法が提出されている。そのうちの一種類は、いわゆるＰＩＤ（Ｐｒｅｕｄｏ  Ｉｍｐｕｌｓｅ  Ｄｒｉｖｅ）方法であり、比較的よく目にする方法である。この方法は、ＣＲＴのインパルス駆動方式をシュミレートしてＬＣＤを駆動し、ＬＣＤをできるだけＣＲＴの表示効果に近づける。現在既知のＰＩＤ方法には以下のような三種類の方法がある。
【０００６】
図３から図５は周知のＰＩＤ方法表示図である。図３に示されるように、映像は順に放送されるフレーム１、２、３と４で構成される。第１種のＰＩＤ方法は、フレーム１と２の間、フレーム２と３の間、フレーム３と４の間にそれぞれフルブラックのデータフレーム１１、１２と１３を挿入し、上述の各フレームの個別時間点に対応するバックライト１４〜２０がいずれも発光状態とされ、第１種のＰＩＤ方法はこれによりインパルスシュミレートの目的を達成する。
【０００７】
図４に示される周知の第２種のＰＩＤ方法によると、映像は、順に放映されるフレーム１、２、３、４、５、６、７で構成される。この方法によると、フレーム２、４、６の個別時間点に対応するバックライト２２、２４、２６が滅灯状態とされ、その他のフレーム１、３、５、７、９に対応するバックライト２１、２３、２５、２７が発光状態とされ、フレーム１、２、３、４、５、６、７が元来の状態を保持し如何なる処理も施されない。言い換えると、第２種のＰＩＤ方法はバックライトを交互に発光状態と滅灯状態とする点滅モードにより、インパルスシュミレートの目的を達成する。
【０００８】
図５に示される周知の第３種のＰＩＤ方法によると、映像は、順に放映されるフレーム１、２、３、４で構成される。この方法は、上述の第１種及び第２種のＰＩＤ方法を結合した方法であり、フレーム１と２の間、フレーム２と３の間、及びフレーム３と４の間にフルブラックのデータフレーム１１、１２、１３を挿入し、並びにフレーム１１、１２、１３の個別時間点に対応するバックライト２２、２４、２６を滅灯状態となし、その他のフレーム１、２、３、４に対応するバックライト２１、２３、２５、２７を発光状態となす。言い換えると、第３種のＰＩＤ方法は、バックライトを交互に発光状態と滅灯状態とする点滅モードと、フレーム１、２、３、４の間にフルブラックフレームを挿入することにより、インパルスシュミレートの目的を達成する。
【発明の開示】
【発明が解決しようとする課題】
【０００９】
本発明の主要な目的は、急速なグレースケール応答速度で液晶パネルを駆動する一種の駆動回路の駆動方法を提供することにある。
【課題を解決するための手段】
【００１０】
請求項１の発明は、駆動回路中の複数のデータドライバと少なくとも二つのゲートドライバにより液晶パネルを駆動する駆動回路の駆動方法であり、該液晶パネルの一つの画素点が該データドライバに接続されたデータ線と、該ゲートドライバに接続されたゲート線で構成され、図形画像に対応する少なくとも一列の画素の駆動電圧がデータ線より入力される時、ゲートドライバはゲート線が入力するゲート駆動信号により図形画像を列で液晶パネル上に表示させ、該駆動方法は、
選択規則に基づき少なくとも二つのゲートドライバ中より第１ゲートドライバを選択し、並びに第１ゲートドライバに第Ａ列のゲート線より順に、所定列数の、駆動電圧に対応する一部の図形画像を表示させ、
選択規則に基づき少なくとも二つのゲートドライバ中より第２ゲートドライバを選出すると共に、第２ゲートドライバに、第Ａ列より所定の距離隔たった第Ｂ列から所定の列数のゲート線に、所定目標値の駆動電圧に対応する図形画像を同時に表示させ、これにより、第Ｂ列から所定の列数の画素を目標値に回復させることを特徴とする、駆動回路の駆動方法としている。
請求項２の発明は、請求項１記載の駆動回路の駆動方法において、選択規則によると、データドライバの出力する駆動電圧が一部の図形画像に対応する時、該駆動電圧の代表する図形を液晶パネルに表示するゲートドライバを第１ゲートドライバとなすことを特徴とする、駆動回路の駆動方法としている。
請求項３の発明は、請求項１記載の駆動回路の駆動方法において、選択規則によると、データドライバの出力する駆動電圧が目標値を有する駆動電圧である時、この駆動電圧の代表する図形を液晶パネルに表示するゲートドライバを第２ゲートドライバとなすことを特徴とする、駆動回路の駆動方法としている。
請求項４の発明は、請求項１記載の駆動回路の駆動方法において、液晶パネルの解析度により、第１ゲートドライバと第２ゲートドライバがそれに接続されるゲート線を分配し、第１ゲートドライバと第２ゲートドライバがいずれも固定ゲート線数のゲート線に接続されることを特徴とする、駆動回路の駆動方法としている。
請求項５の発明は、請求項４記載の駆動回路の駆動方法において、所定距離が固定ゲート線数より大きいか等しいことを特徴とする、駆動回路の駆動方法としている。
請求項６の発明は、請求項１記載の駆動回路の駆動方法において、データドライバに別にリセット線が接続されてリセット信号を受け取り、データドライバの出力する駆動電圧が目標値を有する駆動電圧である時、該データドライバは該リセット信号によりそのうちの全部のデータ記録器に暫時保存された画素データをクリアし、これにより該データドライバの出力する駆動電圧が目標値を有するものとされることを特徴とする、駆動回路の駆動方法としている。
請求項７の発明は、請求項１記載の駆動回路の駆動方法において、データドライバに別にプレセット線が接続されてプレセット信号を受け取り、データドライバの出力する駆動電圧が目標値を有する駆動電圧である時、該データドライバは該リセット信号によりそのうちの全部のデータ記録器に暫時保存された画素データをプレセット値となし、これにより該データドライバの出力する駆動電圧が目標値を有するものとされることを特徴とする、駆動回路の駆動方法としている。
請求項８の発明は、請求項１記載の駆動回路の駆動方法において、駆動電圧がデータ線に入力される前に切り換え器が設置され、該データ線に入力される駆動電圧が一部の図形画像の駆動電圧に対応する時、該切り換え器を通過する該駆動電圧がデータドライバのデジタル／アナログ変換器で変換されることを特徴とする、駆動回路の駆動方法としている。
請求項９の発明は、請求項１記載の駆動回路の駆動方法において、駆動電圧がデータ線に入力される前に切り換え器が設置され、該データ線に入力される駆動電圧が目標値を有する駆動電圧である時、該切り換え器を通過する駆動電圧はデータドライバのデジタル／アナログ変換器により変換されず、別に目標値線で変換不要の目標値を有する駆動電圧が入力されることを特徴とする、駆動回路の駆動方法としている。
【発明の効果】
【００１１】
本発明は、急速なグレースケール応答速度で液晶パネルを駆動する一種の駆動回路の駆動方法を提供している。
【発明を実施するための最良の形態】
【００１２】
本発明は駆動回路の駆動方法を提供し、この駆動方法は、該駆動回路中の複数のデータドライバと少なくとも二つのゲートドライバにより、液晶パネルを駆動する。
【００１３】
この液晶パネルの一つの画素は、データドライバに接続されたデータ線と、ゲートドライバに接続されたゲート線により構成される。図形画像に対応する少なくとも一列の画素の駆動電圧がデータ線より入力される時、ゲートドライバはゲート線が入力するゲート駆動信号により図形画像を列で液晶パネル上に表示させる。
【００１４】
本発明による駆動方法は具体的には以下のようである。まず、選択規則に基づき少なくとも二つのゲートドライバ中より第１ゲートドライバを選択し、並びに第１ゲートドライバに第Ａ列のゲート線より順に所定列数の、駆動電圧に対応する一部の図形画像を表示させる。その後、同様に、選択規則に基づき第２ゲートドライバを選出すると共に、第２ゲートドライバに、第Ａ列より所定の距離隔たった第Ｂ列から所定の列数のゲート線に、所定目標値の駆動電圧に対応する図形画像を同時に表示させ、これにより、第Ｂ列から所定の列数にある画素を目標値に回復させる。第１ゲートドライバが対応するフレームデータの表示を完了した後、次のゲート駆動回路が対応するフレームデータを駆動する。同様に、第２ゲートドライバの最後の一列の画素が目標値に回復した後、次のゲートドライバが同じ方式で所定列数の画素を目標値に回復させる。設計上はＡ列とＢ列の間の列数を選定し、フレームを表示する時、同一のゲートドライバにあってフレーム表示するか目標値に回復させないようにすればよい。
【実施例１】
【００１５】
図６は本発明の駆動回路の表示図である。図６に示されるように、本発明の駆動回路は複数のデータドライバ３０とゲートドライバ３２により液晶パネル３４を駆動する。液晶パネル３４の解析度が６４０×４８０である時、液晶パネル３４の画素の数量は３０７２００（６４０×４８０）個であり、並びに複数のデータドライバ３０に接続されたデータ線は６４０行とされ、ゲートドライバ３２、３３に接続されるゲート線は４８０列とされる。特に、本発明の駆動回路中、ゲートドライバ３２、３３に入力されるＯＥ信号は、それぞれＯＥ１とＯＥ２とされ、並びにこのＯＥ信号は周知の駆動回路中のＯＥ信号が永久に起動状態であるのとは異なる。
【００１６】
液晶パネル３４の解析度は６４０×４８０で、順調に液晶パネル３４を駆動するため、ゲートドライバ３２、３３は液晶パネル３４に接続されたゲート線を分配する必要があり、ゆえに、ゲートドライバ３２、３３に接続される固定ゲート線数はいずれも２４０列とされる。言い換えると、ゲートドライバ３２は第１列から第２４０列のゲート線に接続され、ゲートドライバ３３は第２４１列から第４８０列のゲート線に接続される。ゆえに、映像を液晶パネル３４に表示したい時、各フレーム時間内において、ゲートドライバ３２、３３は順に４８０列のゲート線を走査して列でこのフレーム中の画像を表示する。
【００１７】
簡単に言うと、本発明の駆動方法は、選択規則に基づき、ゲートドライバ３２、３３よりゲートドライバ３２を第１ゲートドライバ、ゲートドライバ３３を第２ゲートドライバとして選出する。並びにこの第１ゲートドライバと第２ゲートドライバにより周知の技術のゲート線とは異なる走査順序を実行し、急速グレースケール応答時間で液晶パネルを駆動する。以下に如何にＯＥ１とＯＥ２により本発明の特殊な走査順序を発生するか、及び選択規則が如何に第１ゲートドライバと第２ゲートドライバを選出するかについて説明する。
【００１８】
本発明の駆動方法中の走査順序は、先ず第１ゲートドライバにより第Ａ列のゲート線より順番に所定列数の駆動電圧に対応する部分の図形画像を表示する。続いて、第２ゲートドライバが第Ａ列と所定距離離れた第Ｂ列のゲート線より所定列数の目標値の駆動電圧を具えた部分の図形画像を表示し、第Ｂ列より所定列数の画素を目標値に回復させる。これにより、所定距離は固定ゲート線数より大きいか等しく、これにより、液晶パネル３４の解析度が６４０×４８０の時、所定距離は２４０の固定ゲート線数より大きいか等しい。言い換えると、一部の図形画像に対応し目標値を具えた駆動電圧は、ゲートドライバ３２、３３の間の異なるゲートドライバにより処理される。順番に表示されない一部の図形画像及び目標値を具えた駆動電圧に代表される図形は、２４０の固定ゲート線数以上で「スキップ」表示され、周知の駆動回路を改めて、ゲートドライバ３２、３３が上述のＯＥ１とＯＥ２の制御によりスキップの方式で表示されるようにする。
【００１９】
以上の記述に基づき、選択規則によると、もしデータドライバ３０の出力する駆動電圧が一部の図形画像に対応する時には、駆動電圧が代表する図形を液晶パネル３４に表示するデータドライバ３２がいわゆる第１ゲートドライバとされる。データドライバ３０の出力する駆動電圧が目標値の駆動電圧であれば、駆動電圧の代表する図形を液晶パネルに表示するゲートドライバ３３が第２ゲートドライバとされる。
【００２０】
図７から図９は本発明の駆動回路の駆動方法の表示図である。所定列数が１とされ且つ第Ａ列が第１列とされ且つ所定距離が３２０とされる時、本発明の駆動方法中の走査順序は、図７に示されるようであり、第１ゲートドライバは第１列のゲート線より順番にただ第１列のゲート線に対応する図形画像４０の列部分を表示する。続いて、第２ゲートドライバが第１列と３２０列隔たった第３２１列のゲート線より例えば１とされる所定列数の、目標値の駆動電圧が代表する図形を表示する。目標値を具えた駆動電圧が代表する図形はフルブラックの図形４２に近く且つ所定列数は１であり、これにより、第２ゲートドライバは第３２１列のゲート線よりより同時にただ１列の、フルブラックに接近する図形４２を表示する。
【００２１】
図８に示されるように、以上の走査動作を重複し、並びに順に走査して第１ゲートドライバにより第１１列の図形画像４０の列部分を表示し、並びに所定距離は３２０であり、ゆえに第２ゲートドライバは第３３１列でフルブラックに接近する図形４２を表示する。ゲートドライバ３２が続けて以上の走査動作を行ないゲートドライバ３２に接続されたゲート線の最後の一列に至る時、即ち３２０列に至ると、次に入力される図形画像４０の列部分がゲートドライバ３３に接続されたゲート線に変成する。同様に、次に入力されるフルブラックに接近する図形４２も、ゲートドライバ３２に接続されたゲート線に変成する。言い換えると、第１ゲートドライバがゲートドライバ３２からゲートドライバ３３に変成し、第２ゲートドライバがゲートドライバ３３からゲートドライバ３２に変成する。これは、選択規則の第１ゲートドライバが図形画像４０の列部分を入力するよう定められ、第２ゲートドライバはフルブラックに接近する図形４２を入力するよう定められていることによる。
【００２２】
図９に示されるように、第１ゲートドライバとされるゲートドライバ３３は、第３２１列に図形画像４０の列部分を入力し、第２ゲートドライバとされるゲートドライバ３２は、しょれと所定の距離が３２０である第１列にフルブラックに接近する図形４２を入力する。第３２１列に図形画像４０の列部分を入力する前に、既に図７に示されるように、第３２１列にフルブラックに接近する図形４２が入力済みであり、これにより第３２１列の画素はいずれも事前にフルブラックに接近する図形４２の目標値の駆動電圧に回復させられる。ゆえに、第１ゲートドライバとされるゲートドライバ３３が第３２１列に図形画像４０の列部分を入力した後、第３２１列の各一つの画素の電圧変化はＣＲＴスクリーンのインパルス状の如くなり、本発明の目的が達成され、急速グレースケール応答時間で液晶パネル３４を駆動する。以下に上述の走査順序及び駆動方法に対応する駆動波形図を説明する。
【００２３】
図１０は本発明の駆動波形図である。所定列数が１とされ且つ第Ａ列が第１列とされ且つ所定距離が３２０とされる時、図１０に示されるように、データドライバ３０の出力する駆動電圧の順序は第１列の図形画像４０の列部分、第３２１列のフルブラックに接近する図形４２、第２列の図形画像４０の列部分、第３２２列のフルブラックに接近する図形４２・・・第３２１列の図形画像４０の列部分、第１列のフルブラックに接近する図形４２・・・の駆動電圧に対応する。各垂直クロックサイクル内にあって、ＯＥ１が活動状態とされる時、第１列ゲート駆動信号は第１列ゲート線に入力されて第１列の図形画像４０の列部分を液晶パネル３４に表示させ、ＯＥ２が活動状態とされる時、第３２１列のゲート駆動信号は第３２１列ゲート線に入力されて第３２１列にフルブラックに接近する図形４２を表示させる。
【００２４】
図１１は本発明のもう一つの駆動回路の駆動方法の表示図である。所定列数が２とされ且つ第Ａ列は第１列とされ且つ所定距離が３２０とされる時、本発明の駆動方法中の走査順序は図１１に示されるようであり、これにより、第１ゲートドライバは第１列のゲート線より順に２列の、即ち図１１に示されるように、第１列と第２列のゲート線の図形画像４０の列部分を表示する。続いて、第２ゲートドライバが第１列から３２０列離れた第３２１列及び第２列から３２０列離れた第３２２列のゲート線を、目標値の駆動電圧が代表する図形を表示する。目標値の駆動電圧が代表する図形はフルブラックに接近する図形４２で且つ所定列数は２とされ、これにより第２ゲートドライバは第３２１列のゲート線より２列のフルブラックに接近する図形４２を表示する。言い換えると、図形画像４０１１に示されるように、走査順序は第１に第１列を表示、第２に第２列を表示し、第３に第３２１と第３２２列を同時に表示する。
【００２５】
図１２は本発明の別の駆動波形図である。所定列数が２とされ且つ第Ａ列が第１列とされ且つ所定距離が３２０とされる時、データドライバ３０の出力する駆動電圧の順序は第１列の図形画像４０の列部分、第２列の図形画像４０の列部分、第３２１列のフルブラックに接近する図形４２と第３２２列のフルブラックに接近する図形４２・・・第３２１列の図形画像４０の列部分、第３２２列の図形画像４０の列部分、第１列のフルブラックに接近する図形４２と第２列のフルブラックに接近する図形４２・・・の駆動電圧に対応する。図１２に示されるように、各垂直クロック周期内にあって、ＯＥ１が活動状態とされる時、第１列ゲート駆動信号は第１列ゲート線に入力されて第１列の図形画像４０の列部分を液晶パネル３４に表示させる。第２列のゲート駆動信号は第２列ゲート線に入力されて第２列の図形画像４０の列部分を液晶パネル３４に表示させる。またＯＥ２が活動状態とされる時、第３２１列ゲート駆動信号と第３２２列ゲート駆動信号は同時に第３２１列と第３２２列ゲート線に入力され、第３２１列と第３２２列に同時にフルブラックに接近する図形４２を表示させる。
【００２６】
図１０と図１２の比較から分かるが、所定列数が１多い図１２では、同第３２１列と第３２２列のフルブラックに接近する図形４２を同時に表示し、ゆえに、僅かに三つの垂直クロック周期内に、第１列、第２列、第３２１列、第３２２列の表示動作を完成し、図１０では四つの垂直クロック信号周期を必要とするのに較べて図１２では一つの垂直クロック周期が少ない。以上に基づき、所定列数を増すと、必要なクロック信号周期を減らすことができる。特に、所定列数を増して所定列数の固定ゲート線数と同じとする時、その必要なクロック信号周期数は周知のＬＣＤが必用とするものに非常に接近する。
【００２７】
図１３を参照されたい。図１３は本発明のリセット／プレセットの表示図である。図１３に示されるデータドライバ３０は別にリセット線に接続されてリセット信号を受け取るか或いは別にプレセット（ｐｒｅｓｅｔ）線に接続されてプレセット信号を受け取る。データドライバ３０がデジタル／アナログ変換器８０により出力する駆動電圧が目標値を有する駆動電圧とされる時（即ちゲートドライバ３２或いは３３がその表示をフルブラックに接近する図形４２となす）、データドライバ３０はリセット信号によりそのうちの全部のデータ記録器８２に暫時保存された画素データをクリアし、データドライバ３０の出力する駆動電圧を目標値を有するものとなす。また、データドライバ３０が目標値を有する駆動電圧である時、データドライバ３０はプレセット信号によりそのうちの全部のデータドライバ８２が暫時保存する画素データを所定値に設定し、データドライバ３０の出力する駆動電圧が目標値を有するものとされる。
【００２８】
こうして、ただデータドライバ３０に余分にリセット線を接続してリセット信号を受け取るか、或いはプレセット線を接続してプレセット信号を受け取るようにすることで、図１０のように画素データを読み取る時に、目標値を有する駆動電圧に対応する画素データを読み取る必用がなく、ただ周知技術のように図形画像の画素データを順に読み取るだけでよい。ゆえに、この方法は、データドライバ３０の画素データ読み取り時の水平クロック信号を増さず、本発明の目的を達成し、急速グレースケール応答時間で液晶パネル３４を駆動する。ただし、図１３に示されるデータドライバ３０はデジタル／アナログ変換器８０でデータ記録器８２に暫時保存された画素データを駆動電圧に変換してデータ線に入力する必用がある。
【００２９】
図１４は本発明の切り換え器の表示図である。図１４に示されるデータドライバ３０は、駆動電圧をデータ線に入力する前に切り換え器９０が設置される。データ線に入力される駆動電圧が一部の図形画像の駆動電圧に対応する時は、切り換え器９０を通過する駆動電圧はデータドライバのデジタル／アナログ変換器８０で変換される。データ線に入力される駆動電圧が目標値を具えた駆動電圧である時は、切り換え器９０を通過する駆動電圧はデータドライバ３０のデジタル／アナログ変換器８０により変換されず、別の目標値線より変換を必用としない目標値を有する駆動電圧が入力される。特に、デジタル／アナログ変換器８０はデータドライバ３０の内或いは外に設置可能である。
【００３０】
こうして、図１４に示されるデータドライバ３０とデジタル／アナログ変換器８０の間の相互関係は、データドライバ３０の画素データ読み取り時の水平クロック信号を増すだけでなく、デジタル／アナログ変換器８０による変換を省略でき、同様に本発明の目的を達成し、急速グレースケール応答時間で液晶パネル３４を駆動する。
【００３１】
以上は本発明の具体的実施例の説明であり、本発明の請求範囲を限定するものではなく、本発明に基づきなしうる細部の修飾或いは改変は、いずれも本発明の請求範囲に属するものとする。
【図面の簡単な説明】
【００３２】
【図１】周知の技術の駆動波形図である。
【図２】周知の技術の駆動波形図である。
【図３】周知のＰＩＤ駆動方法の表示図である。
【図４】周知の別のＰＩＤ駆動方法の表示図である。
【図５】周知のさらに別のＰＩＤ駆動方法の表示図である。
【図６】本発明の駆動回路の表示図である。
【図７】本発明の駆動回路の駆動方法の表示図である。
【図８】本発明の駆動回路の駆動方法の表示図である。
【図９】本発明の駆動回路の駆動方法の表示図である。
【図１０】本発明の駆動波形図である。
【図１１】本発明の別の駆動回路の駆動方法の表示図である。
【図１２】本発明の別の駆動波形図である。
【図１３】本発明のリセット／プレセットの表示図である。
【図１４】本発明の切り換え器の表示図である。
【符号の説明】
【００３３】
１、２、３、４、５、６、７  フレーム
１１、１２、１３  データフレーム
１４、１５、１６、１７、１８、１９、２０、２１、２２、２３、２４、２５、２６、２７  バックライト
３０  データドライバ
３２  ゲートドライバ
３４  液晶パネル
４０  図形画像
４２  フルブラックに接近する図形
８０  デジタル／アナログ変換器
８２  データ記録器
９０  切り換え器
【図１】
2005284071.tif 000003
【図２】
2005284071.tif 000004
【図６】
2005284071.tif 000005
【図７】
2005284071.tif 000006
【図８】
2005284071.tif 000007
【図９】
2005284071.tif 000008
【図１０】
2005284071.tif 000009
【図１１】
2005284071.tif 000010
【図１２】
2005284071.tif 000011
【図１３】
2005284071.tif 000012
【図１４】
2005284071.tif 000013
【図３】
2005284071.tif 000014
【図４】
2005284071.tif 000015
【図５】
2005284071.tif 000016